(57)【要約】【課題】面光源装置およびそれ用いた液晶表示装置を提供する。【解決手段】光が入射する光入射面３６a、光入射面３６aからの入射光が出射する光出射面３６b、および光出射面３６bに対向するとともにプリズムが形成された対向面３６cを備える導光体３６と、導光体３６の光入射面３６aに沿って配置される冷陰極管３４と、冷陰極管３４の出射光を放出する開口部を形成する２つの端部が導光体３６を厚さ方向から挟持し、冷陰極管３４を囲んで冷陰極管３４の出射光を光入射面３６aに向けて反射させるリフレクタ３７と、光出射面３６bと対向面３６cとに対向して配置された複数の光学シート３８、３９とを備え、光出射面３６aはドットパターンが形成されるシボ面領域３６ｅと、ドットパターンが形成されない位置決め領域３６ｄとを有し、リフレクタ３７の端縁３７aが位置決め領域３６dに位置する。【選択図】      図４
2006092796.tif 000002
【特許請求の範囲】
【請求項１】
光が入射する光入射面、前記光入射面から入射した入射光が出射する光出射面および、前記光出射面に対向する対向面を備え、前記対向面にプリズムが形成された導光体と、
前記導光体の光入射面に沿って配置された光源と、
前記光源の出射光を放出する開口部を形成するとともに、前記導光体を厚さ方向から挟持する２つの端部を有し、前記光源を囲んで前記光源の出射光を前記導光体の光入射面に向けて反射する反射体と、
を備え、
前記導光体の光出射面は、凸状のドットパターンが形成されたシボ面領域とドットパターンが形成されていない位置決め領域とを有し、
前記反射体の前記光出射面に接触する端部は、その端縁が前記位置決め領域に位置する面光源装置。
【請求項２】
前記位置決め領域は、前記光入射面と略平行に延びた帯状に形成された請求項１記載の面光源装置。
【請求項３】
前記位置決め領域は、前記光入射面と略平行に延びた破線状に形成された請求項１記載の面光源装置。
【請求項４】
前記位置決め領域は、その長手方向の長さが前記光出射面の長手方向の長さより短い請求項２記載の面光源装置。
【請求項５】
複数の画素が配列された表示領域を備えた液晶表示パネルと、
前記液晶表示パネルに電気的に接続され、駆動信号を供給する回路基板と、
前記液晶表示パネルを背面から照明する面光源装置と、を備え、
前記面光源装置は、
光が入射する光入射面、前記光入射面から入射した入射光が出射する光出射面および、前記光出射面に対向する対向面を備え、前記対向面にプリズムが形成された導光体と、
前記導光体の光入射面に沿って配置された光源と、
前記光源の出射光を放出する開口部を形成するとともに、前記導光体を厚さ方向から挟持する２つの端部を有し、前記光源を囲んで前記光源の出射光を前記導光体の光入射面に向けて反射する反射体と、
前記導光体の光出射面は、凸状のドットパターンが形成されたシボ面領域とドットパターンが形成されていない位置決め領域とを有し、
前記反射体の前記光出射面に接触する端部は、その端縁が前記位置決め領域に位置する液晶表示装置。
【請求項６】
前記位置決め領域は、前記光入射面と略平行に延びた帯状に形成された請求項５記載の液晶表示装置。
【請求項７】
前記位置決め領域は、前記光入射面と略平行に延びた破線状に形成された請求項５記載の液晶表示装置。
【請求項８】
前記位置決め領域は、その長手方向の長さが前記光出射面の長手方向の長さより短い請求項６記載の液晶表示装置。
【発明の詳細な説明】
【技術分野】
【０００１】
本発明は、ドットパターンが形成された光出射面を有する導光体を備えた面光源装置、およびこの面光源装置を用いた液晶表示装置に関する。
【背景技術】
【０００２】
近年、液晶表示装置は薄型で軽量である特徴を生かして、各種分野で利用されている。
【０００３】
一般に、液晶表示装置は入力された画像を表示する液晶表示パネルと、液晶表示パネルを背面から照明する面光源装置とを有している。面光源装置は、光源と、光源の出射光を面状に出射する導光体と、光源の出射光を導光体に入射させる反射体としてのリフレクタとを備えている。導光体の光出射面は、光の輝度ムラの均一化や輝度向上のための複数の光学シートで覆われ、光出射面に対向する対向面は反射シートで覆われている。最近は、光学シートの数を減らすために、対向面にプリズムが形成され、光出射面が凸状のドットパターンを有するシボ面として形成された導光体を用いる面光源装置が開発されている。光出射面のドットパターンは光源から離れるに従って密度が大きくなるように形成され、光出射面から出射される面状光を均一にしている。
【０００４】
上記の面光源装置において、リフレクタは光源の出射光を放出する開口部を形成する２つの端部を有し、光源を囲んで２つの端部が導光体と反射シートとをその厚さ方向から挟持している。このような構造にすると、光源からの出射光を効率よく用いることができるため、高輝度が達成される。このとき、リフレクタと導光体との位置関係が出射光の輝度ムラに大きく影響するが、導光体に対するリフレクタの位置決めが難しく、特にリフレクタの中央部の位置決めに時間を要するという問題点があった。
【０００５】
上記の問題点を解決するために、導光体に段差や溝を設けてリフレクタの位置決めを容易にする方法が提案されている。（特許文献１参照）
【特許文献１】特開２００１−２３６８１２号公報
【発明の開示】
【発明が解決しようとする課題】
【０００６】
しかし、上記の方法では導光体の光出射面に段差や溝を設ける必要があり、光出射面にシボ面を有する導光体を用いる場合には適していない。
【０００７】
本発明は、上記のような問題点に鑑みて成されたものであって、その目的は、導光体に対するリフレクタの位置決めが容易にでき、輝度ムラの発生を防ぐことができる面光源装置、およびその面光源装置を用いた液晶表示装置を提供することである。
【課題を解決するための手段】
【０００８】
本発明の様態による面光源装置は、光が入射する光入射面、前記光入射面から入射した入射光が出射する光出射面および、前記光出射面に対向する対向面を備え、前記対向面にプリズムが形成された導光体と、前記導光体の光入射面に沿って配置された光源と、前記光源の出射光を放出する開口部を形成するとともに、前記導光体を厚さ方向から挟持する２つの端部を有し、前記光源を囲んで前記光源の出射光を前記導光体の光入射面に向けて反射する反射体と、を備え、前記導光体の光出射面は、凸状のドットパターンが形成されたシボ面領域とドットパターンが形成されていない位置決め領域とを有し、前記反射体の前記光出射面に接触する端部は、その端縁が前記位置決め領域に位置する。
【０００９】
本発明の様態による液晶表示装置は、複数の画素が配列された表示領域を備えた液晶表示パネルと、前記液晶表示パネルに電気的に接続され、駆動信号を供給する回路基板と、前記液晶表示パネルを背面から照明する面光源装置と、を備え、前記面光源装置は、光が入射する光入射面、前記光入射面から入射した入射光が出射する光出射面および、前記光出射面に対向する対向面を備え、前記対向面にプリズムが形成された導光体と、前記導光体の光入射面に沿って配置された光源と、前記光源の出射光を放出する開口部を形成するとともに、前記導光体を厚さ方向から挟持する２つの端部を有し、前記光源を囲んで前記光源の出射光を前記導光体の光入射面に向けて反射する反射体と、前記導光体の光出射面は、凸状のドットパターンが形成されたシボ面領域とドットパターンが形成されていない位置決め領域とを有し、前記反射体の前記光出射面に接触する端部は、その端縁が前記位置決め領域に位置する。
【発明の効果】
【００１０】
本発明によれば、導光体に対するリフレクタの位置決めを容易にでき、輝度ムラの発生を防ぐことができる面光源装置、およびその面光源装置を用いた液晶表示装置を提供することができる。
【発明を実施するための最良の形態】
【００１１】
以下、本発明の一実施の形態に係る面光源装置、およびその面光源装置を用いた液晶表示装置について図面を参照して説明する。
【００１２】
図１は、本発明の一実施の形態に係る液晶表示装置の構造を概略的に示す分解斜視図である。図１に示すように、液晶表示装置１は、略矩形状の液晶表示パネル１０、液晶表示パネル１０を裏面から照明する面光源装置３０、液晶表示パネル１０と面光源装置３０とを支持するバックフレーム３２、およびバックフレーム３２に取り付けられ、液晶表示装置の周縁部を保持したベゼルカバー２０を備えている。面光源装置３０は液晶表示パネル１０の裏面側に対向配置され、矩形枠状のベゼルカバー２０は、液晶表示パネル１０の表面側に取り付けられている。
【００１３】
液晶表示パネル１０は、対向配置されたアレイ基板１２および対向基板１４を備えている。アレイ基板１２と対向基板１４との間には液晶層が挟持され、アレイ基板１２と対向基板１４の外面には、それぞれ偏向板（図示せず）が固定されている。液晶表示パネル１０は、画像を表示させる表示領域に相当する矩形状の有効表示部１６を有している。有効表示部１６は、マトリクス状に配置された複数の表示画素ＰＸによって構成されている。
【００１４】
液晶表示パネル１０に駆動信号を供給する細長い矩形平板状のドライバ回路基板１１は、フレキシブルな細長い矩形略平板状の一対のプリント配線基板１３を介して、液晶表示パネル１０の一側縁に電気的に接続されている。ドライバ回路基板１１は、面光源装置３０の裏面側に向けてプリント配線基板１３を湾曲させることにより、面光源装置３０の裏面側に配置されている。このとき、ドライバ回路基板１１と面光源装置３０との間には、細長い矩形状の絶縁シート４０が介在され、絶縁シート４０が、ドライバ回路基板１１と面光源装置３０との間の絶縁性を確保している。
【００１５】
図２に、図１に示す面光源装置３０をA−A´で切断した断面図を示す。面光源装置３０は、矩形板状の導光体３６を備え、導光体３６は、光が入射する光入射面３６a、光入射面３６aから入射した入射光が出射する光出射面３６bおよび、光出射面３６bに対向する対向面３６cを有している。後述するように、対向面３６cはプリズム形状に形成されている。これにより、導光体３６はプリズムを一体的に備えたプリズム導光体として形成されている。
【００１６】
導光体３６の光出射面３６bに対向して複数の光学シート３９が配置されている。光学シート３９は導光体３６の光出射面３６ｂから出射された面状光に対して、所定の光学特性を付与するもので、例えば、光出射面３６ｂからの出射光を集光する集光シート、及び、光出射面３６ｂからの出射光を拡散する拡散シートなどである。導光体３６の対向面３６cに対向して、光学シートとしての反射シート３８が配置されている。反射シート３８は、導光体３６の内部から対向面３６cを介して外部へ漏れ出た光を導光体３６の光出射面３６ｂ側に向けて反射している。
【００１７】
光源としての冷陰極管３４は、導光体３６の光入射面３６aに対向して配置され、冷陰極管３４を囲むように反射体としてのリフレクタ３７が配置されている。
【００１８】
リフレクタ３７は、略平板状の反射体をその断面が略U字状となるように曲げて形成され、開口部を形成している一対の端部を有している。この一対の端部は、導光板３６と反射シート３８とをその厚さ方向から挟持している。光入射面３６aとリフレクタ３７とが、導光体３６の長手方向の全長にわたって冷陰極管３４を囲み、リフレクタ３７は、冷陰極管３４からの出射光を光入射面３６aに向けて反射させている。ここで導光体３６の厚さは、光出射面３６bに略直交する方向に相当する。
【００１９】
図３は、図２に示す面光源装置３０の導光体３６を示している。図４は、リフレクタ３７を装着した場合における図３に示す導光体３６をB―B´で切断した断面図である。
【００２０】
図３に示すように、導光体３６は、光入射面３６aからその法線方向に向かって厚さが徐々に薄くなるような楔形に形成されている。このような形状により、導光体３６の対向面３６c側にドライバ回路基板１１などの収容スペースを確保している。
【００２１】
導光体３６の対向面３６cには、光入射面３６ａから入射した光を光出射面３６ｂに向けて均等に反射させるプリズムが一体的に作り込まれている。本実施形態では、対向面３６cに形成されたプリズムは、対向面３６cの長手方向に延びて、その幅方向に並んで配列されている。ここで、対向面３６cの長手方向は図３に示すＬ方向で、幅方向は図３に示すＷ方向である。
【００２２】
図４に示すように、導光体３６の光出射面３６bは、凸状のドットパターンが形成されたシボ面領域３６eと、ドットパターンが形成されていない位置決め領域３６dとを有している。本実施形態では、光出射面３６bの長手方向に延びた帯状に形成されている。位置決め領域３６dの幅W１は約１mmで、光出射面３６bの光入射面３６a側の辺からの距離W２は約０.５mmである。
【００２３】
上記の導光体３６に対してリフレクタ３７を装着する場合、リフレクタ３７の光出射面３６bに接触する端縁３７aは、光出射面３６bの位置決め領域３６d内に位置決めされる。このとき、端部３７aが光入射面３６a側の辺から０.５mm以上１.５mm以下離れて位置決めされることが望ましい。
【００２４】
上記のように、導光体３６の光出射面３６bに位置決め領域３６dを設けると、端縁３７aが位置決め領域３６dに位置するように、リフレクタ３７の位置を決定することができる。この事により、導光体３６の光出射面３６bにドットパターンを形成した場合でも、導光体３６に対しリフレクタ３７を容易に位置決めでき、導光体３６に対するリフレクタ３７の位置のばらつきが小さくなる。よって、光出射面３６bから出射される光の輝度ムラの発生を防ぐことができる。
【００２５】
上記の実施形態では、位置決め領域３６dは光入射面３６aと略平行に延びた帯状に形成されていたが、図５に示すように、長手方向の長さが光出射面３６ｂよりも短く、その幅W１が約１mmとなる略矩形状の位置決め領域３６dが形成されても良い。この位置決め領域３６dは光入射面３６aと略平行となるように、光出射面３６bの長手方向の中央に形成されている。
【００２６】
また図６に示すように、位置決め領域３６dは光入射面３６aに略平行で、その幅W１が約１mmとなる破線状に形成されてもよい。
【００２７】
なお、図５および図６に示す導光体３６は、位置決め領域３６d以外の部分は図３と同様であるため、ここでの説明は省略する。
【００２８】
図５および図６に示す導光体３６に対してリフレクタ３７は、図４と同じように位置決めされる。この事により、少なくとも特に位置決めすることが難しいリフレクタ３７の中央部の位置決めを容易にすることができる。このため、光出射面３６bにドットパターンを有する導光体３６であっても、導光体３６に対するリフレクタ３７の位置のばらつきが小さくなり、光出射面３６bから出射される光の輝度ムラの発生を防ぐことができる。
【００２９】
なお、上記の実施形態では対向面３６cに形成されるプリズムは、対向面３６cの長手方向に延びて、その幅方向に並んで配列されている。しかし、プリズムは対向面３６cの幅方向に延びて、その長手方向に並んで配置されても良い。
【００３０】
この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００３１】
【図１】本発明の一実施の形態に係る液晶表示装置の構造例を概略的に示す分解斜視図。
【図２】図１に示す面光源装置をA−A´で切断した断面図。
【図３】図２に示す導光体の一構造例を示す図。
【図４】リフレクタを装着した図３に示す導光体をB―B´で切断した断面図。
【図５】本発明の第２実施形態に係る導光体の一構造例を示す図。
【図６】本発明の第３実施形態に係る導光体の一構造例を示す図。
【符号の説明】
【００３２】
１…液晶表示装置、１０…液晶表示パネル、１２…アレイ基板、１４…対向基板、１６…有効表示部、２０…ベゼルカバー、３０…面光源装置、３２…バックフレーム、３４…冷陰極管、３６…導光体、３６a…光入射面、３６b…光出射面、３６c…対向面、３６d…位置決め領域、３６e…シボ面領域
【図１】
2006092796.tif 000003
【図２】
2006092796.tif 000004
【図３】
2006092796.tif 000005
【図４】
2006092796.tif 000006
【図５】
2006092796.tif 000007
【図６】
2006092796.tif 000008